【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
アップリンクグラントを使用してスケジューリングされることができるアップリンクデータトラフィックを前記モバイルデバイスが有さないとき、モバイルデバイスにおいて、チャネル状態情報（ＣＳＩ）トリガを有するダウンリンクグラントを受信することと、
前記モバイルデバイスが、前記ダウンリンクグラント内の前記ＣＳＩトリガを検出することと、
前記ダウンリンクグラント内の前記ＣＳＩトリガによってトリガされたＣＳＩフィードバックと、前記モバイルデバイスに対してスケジューリングされた他のアップリンク信号との衝突を検出することと、
前記衝突に応答して、前記ＣＳＩフィードバックを前記他のアップリンク信号と多重化することと、
前記ダウンリンクグラント内の前記ＣＳＩトリガに応答して、前記モバイルデバイスが前記ＣＳＩフィードバックを送信することと、
アップリンクグラントを使用してスケジューリングされることができるアップリンクデータトラフィックを前記モバイルデバイスが有するとき、モバイルデバイスにおいて、ＣＳＩトリガを有するアップリンクグラントを受信することと、
前記アップリンクグラント内の前記ＣＳＩトリガに応答して、前記モバイルデバイスが前記ＣＳＩフィードバックを送信することと、
を備える方法。
【請求項２】
前記モバイルデバイスにおいて、上位レイヤによって構成された送信リソースの複数のセットから送信リソースのセットを選択すること、
をさらに含む、請求項１に記載の方法。
【請求項３】
前記選択することは、
選択のために送信リソースの前記セットを指定する無線リソース制御（ＲＲＣ）信号を識別することと、
選択のために送信リソースの前記セットに関連付けられたダウンリンク制御情報（ＤＣＩ）フォーマットを識別することと、
選択のために送信リソースの前記セットに関連付けられた制御チャネルタイプを識別することと、
複数の復号候補から復号候補を識別することと、ここで、前記識別された復号候補は、選択のために送信リソースの前記セットに関連付けられる、
前記ＣＳＩフィードバックの送信のためのサブフレームを識別することと、ここで、前記識別されたサブフレームは、選択のために送信リソースの前記セットに関連付けられる、
のうちの１つまたは複数を含む、請求項２に記載の方法。
【請求項４】
送信リソースの前記複数のセットの各々は、
送信リソース識別情報、
ＣＳＩフィードバックタイプ、
アップリンクチャネルタイプ、
ＣＳＩフィードバック送信のために識別されたアップリンクチャネルのためのトランスポート電力制御（ＴＰＣ）コマンド、
復調基準信号（ＤＭ−ＲＳ）および直交カバーコード（ＯＣＣ）インデックスのためのサイクリックシフト、および
非周期的なサウンディング基準信号（ＳＲＳ）に対する要求
のうちの１つまたは複数を含む、請求項２に記載の方法。
【請求項５】
送信リソース識別情報は、
リソースロケーション、
リソース帯域幅、
変調オーダ、
ランク、および
プリコーディングインデックス
のうちの１つまたは複数を含む、請求項４に記載の方法。
【請求項６】
ＣＳＩフィードバックの送信のための前記変調オーダまたはランクのうちの少なくとも１つは固定である、請求項５に記載の方法。
【請求項７】
前記ＣＳＩトリガに応答して前記ＣＳＩフィードバックの前記送信を繰り返す回数を識別すること、
をさらに含む、請求項２に記載の方法。
【請求項８】
前記数は、
所定の数、および
設定された数
のうちの１つである、請求項７に記載の方法。
【請求項９】
前記回数の各々の間に送信される前記ＣＳＩフィードバックは、
同一のタイプのＣＳＩフィードバック、および
異なるタイプのＣＳＩフィードバック
のうちの１つを含む、請求項７に記載の方法。
【請求項１０】
前記他のアップリンク信号内の任意の周期的ＣＳＩをドロップすること、
をさらに含む、請求項１に記載の方法。
【請求項１１】
前記検出された衝突は、アップリンクデータチャネル間の衝突であり、前記方法は、  前記ダウンリンクグラント内の前記ＣＳＩトリガによってトリガされた前記ＣＳＩフィードバックを含む前記アップリンクデータチャネルをドロップすること、
をさらに含む、請求項１に記載の方法。
【請求項１２】
前記モバイルデバイスが前記ダウンリンクグラント内の前記ＣＳＩトリガを検出することは、前記モバイルデバイスが前記ダウンリンクグラント内の１つまたは複数の新しいビットを検出することを含む、請求項１に記載の方法。
【請求項１３】
前記モバイルデバイスが前記ダウンリンクグラント内の前記ＣＳＩトリガを検出することは、前記モバイルデバイスが前記ダウンリンクグラント内の１つまたは複数の既存のビットを再解釈することをさらに含む、請求項１２に記載の方法。
【請求項１４】
前記モバイルデバイスが前記ダウンリンクグラント内の前記ＣＳＩトリガを検出することは、前記モバイルデバイスが前記ダウンリンクグラント内の１つまたは複数の既存のビットを再解釈することを含む、請求項１に記載の方法。
【請求項１５】
ワイヤレス通信のために構成された装置であって、
アップリンクグラントを使用してスケジューリングされることができるアップリンクデータトラフィックを前記モバイルデバイスが有さないとき、モバイルデバイスにおいて、チャネル状態情報（ＣＳＩ）トリガを有するダウンリンクグラントを受信するための手段と、
前記ダウンリンクグラント内の前記ＣＳＩトリガを、前記モバイルデバイスによって検出するための手段と、
前記ダウンリンクグラント内の前記ＣＳＩトリガによってトリガされたＣＳＩフィードバックと、前記モバイルデバイスに対してスケジューリングされた他のアップリンク信号との衝突を検出するための手段と、
前記衝突に応答して、前記ＣＳＩフィードバックを前記他のアップリンク信号と多重化するための手段と、
前記ダウンリンクグラント内の前記ＣＳＩトリガに応答して、前記モバイルデバイスによって前記ＣＳＩフィードバックを送信するための手段と、
アップリンクグラントを使用してスケジューリングされることができるアップリンクデータトラフィックを前記モバイルデバイスが有するとき、モバイルデバイスにおいて、ＣＳＩトリガを有するアップリンクグラントを受信するための手段と、
前記アップリンクグラント内の前記ＣＳＩトリガに応答して、前記モバイルデバイスによって前記ＣＳＩフィードバックを送信するための手段と、
を備える装置。
【請求項１６】
前記モバイルデバイスにおいて、上位レイヤによって構成された送信リソースの複数のセットから送信リソースのセットを選択するための手段、
をさらに含む、請求項１５に記載の装置。
【請求項１７】
選択するための前記手段は、
選択のために送信リソースの前記セットを指定する無線リソース制御（ＲＲＣ）信号を識別するための手段と、
選択のために送信リソースの前記セットに関連付けられたダウンリンク制御情報（ＤＣＩ）フォーマットを識別するための手段と、
選択のために送信リソースの前記セットに関連付けられた制御チャネルタイプを識別するための手段と、
複数の復号候補から復号候補を識別するための手段と、ここで、前記識別された復号候補は、選択のために送信リソースの前記セットに関連付けられる、
前記ＣＳＩフィードバックの送信のためのサブフレームを識別するための手段と、ここで、前記識別されたサブフレームは、選択のために送信リソースの前記セットに関連付けられる、
のうちの１つまたは複数を含む、請求項１６に記載の装置。
【請求項１８】
送信リソースの前記複数のセットの各々は、
送信リソース識別情報、
ＣＳＩフィードバックタイプ、
アップリンクチャネルタイプ、
ＣＳＩフィードバック送信のために識別されたアップリンクチャネルのためのトランスポート電力制御（ＴＰＣ）コマンド、
復調基準信号（ＤＭ−ＲＳ）および直交カバーコード（ＯＣＣ）インデックスのためのサイクリックシフト、および
非周期的なサウンディング基準信号（ＳＲＳ）に対する要求
のうちの１つまたは複数を含む、請求項１６に記載の装置。
【請求項１９】
送信リソース識別情報は、
リソースロケーション、
リソース帯域幅、
変調オーダ、
ランク、および
プリコーディングインデックス
のうちの１つまたは複数を含む、請求項１８に記載の装置。
【請求項２０】
ＣＳＩフィードバックの送信のための前記変調オーダまたはランクのうちの少なくとも１つは固定である、請求項１９に記載の装置。
【請求項２１】
前記ＣＳＩトリガに応答して前記ＣＳＩフィードバックの送信するための前記手段を繰り返す回数を識別するための手段
をさらに含む、請求項１４に記載の装置。
【請求項２２】
前記数は、
所定の数、および
設定された数
のうちの１つである、請求項２１に記載の装置。
【請求項２３】
前記回数の各々の間に送信される前記ＣＳＩフィードバックは、
同一のタイプのＣＳＩフィードバック、および
異なるタイプのＣＳＩフィードバック
のうちの１つを含む、請求項２１に記載の装置。
【請求項２４】
前記他のアップリンク信号内の任意の周期的ＣＳＩをドロップするための手段
をさらに含む、請求項１５に記載の装置。
【請求項２５】
前記検出された衝突は、アップリンクデータチャネル間の衝突であり、前記装置は、
前記ダウンリンクグラント内の前記ＣＳＩトリガによってトリガされた前記ＣＳＩフィードバックを含む前記アップリンクデータチャネルをドロップするための手段
をさらに含む、請求項１５に記載の装置。
【請求項２６】
非一時的コンピュータ可読媒体を備えるコンピュータプログラム製品であって、
前記非一時的コンピュータ可読媒体はプログラムコードを記録しており、前記プログラムコードは、コンピュータによって実行されると、
アップリンクグラントを使用してスケジューリングされることができるアップリンクデータトラフィックを前記モバイルデバイスが有さないとき、モバイルデバイスにおいて、チャネル状態情報（ＣＳＩ）トリガを有するダウンリンクグラントを受信することと、
前記ダウンリンクグラント内の前記ＣＳＩトリガを、前記モバイルデバイスによって検出することと、
前記ダウンリンクグラント内の前記ＣＳＩトリガによってトリガされたＣＳＩフィードバックと、前記モバイルデバイスに対してスケジューリングされた他のアップリンク信号との衝突を検出することと、
前記衝突に応答して、前記ＣＳＩフィードバックを前記他のアップリンク信号と多重化することと、
前記ダウンリンクグラント内の前記ＣＳＩトリガに応答して、前記モバイルデバイスによって前記ＣＳＩフィードバックを送信することと、
アップリンクグラントを使用してスケジューリングされることができるアップリンクデータトラフィックを前記モバイルデバイスが有するとき、モバイルデバイスにおいて、ＣＳＩトリガを有するアップリンクグラントを受信することと、
前記アップリンクグラント内の前記ＣＳＩトリガに応答して、前記モバイルデバイスによって前記ＣＳＩフィードバックを送信することと、
を前記コンピュータに行わせる、コンピュータプログラム製品。
【請求項２７】
前記モバイルデバイスにおいて、上位レイヤによって構成された送信リソースの複数のセットから送信リソースのセットを選択すること
をコンピュータに行わせるプログラムコードをさらに含む、請求項２６に記載のコンピュータプログラム製品。
【請求項２８】
ワイヤレス通信のために構成された装置であって、
少なくとも１つのプロセッサと、
前記少なくとも１つのプロセッサに結合されたメモリと、
を備え、前記少なくとも１つのプロセッサは、
アップリンクグラントを使用してスケジューリングされることができるアップリンクデータトラフィックを前記モバイルデバイスが有さないとき、モバイルデバイスにおいて、チャネル状態情報（ＣＳＩ）トリガを有するダウンリンクグラントを受信することと、
前記ダウンリンクグラント内の前記ＣＳＩトリガを、前記モバイルデバイスによって検出することと、
前記ダウンリンクグラント内の前記ＣＳＩトリガによってトリガされたＣＳＩフィードバックと、前記モバイルデバイスに対してスケジューリングされた他のアップリンク信号との衝突を検出することと、
前記衝突に応答して、前記ＣＳＩフィードバックを前記他のアップリンク信号と多重化することと、
前記ダウンリンクグラント内の前記ＣＳＩトリガに応答して、前記モバイルデバイスが前記ＣＳＩフィードバックを送信することと、
アップリンクグラントを使用してスケジューリングされることができるアップリンクデータトラフィックを前記モバイルデバイスが有するとき、モバイルデバイスにおいて、ＣＳＩトリガを有するアップリンクグラントを受信することと、
前記アップリンクグラント内の前記ＣＳＩトリガに応答して、前記モバイルデバイスが前記ＣＳＩフィードバックを送信することと、
を行うように構成される、装置。
【請求項２９】
前記モバイルデバイスにおいて、上位レイヤによって構成された送信リソースの複数のセットから送信リソースのセットを選択すること
を行うような前記少なくとも１つのプロセッサの構成をさらに含む、請求項２８に記載の装置。